(57)【要約】【課題】ダークマターが宇宙の速度2を作っているのは、ただ宇宙の軌道のエネルギーにより走っているからなのか。それとも、ダークマターに直進するエネルギーが有るからだろうか。U1.27の距離、129.2×108光年より遠い大クエーサー群はどこに観察されるのか。【解決手段】ダークマターはエネルギーの低い場に存在する低エネルギーの電子のラブと陽子のラブである、と考える事により、ダークマターは自らのエネルギーで自転し、かつ直進している、と考える。それで、ダークマターが1秒間に作る磁気の光子のエネルギー＝1秒間に作る電気の光子のエネルギー、であり、これが宇宙の軌道の引力2に成り、速度2に成る。宇宙の中心から軌道半径12.866×108光年の軌道に、U1.27は観察できるのであるから、この方向に129.2×108光年より遠い大クエーサー群達は観察できる。【選択図】図１
2015119569.tif 000002
【特許請求の範囲】
【請求項１】
はたして、ダークマターが自転して1秒間に作る磁気の光子のエネルギーと、ダークマターが宇宙の軌道を回転して作る電気の光子のエネルギーは同じであるのか。
まず、走った分がそのエネルギーになると考える。
ダークマターが自転して1秒間に作る磁気の光子のエネルギーをダークマター1個の磁気の光子のエネルギーとし、ダークマターが宇宙の軌道を走って1秒間に作る電気の光子のエネルギーをダークマター1個の電気の光子のエネルギーとする。
【請求項２】
10-14m時代、ダークマターが1秒間走ってできる電気の光子のエネルギーはいくらか。一般式を求める。
・10-14m時代、ダークマターが自転して1秒間に走る距離は、ダークマターの自転軌道×3.14×1秒間の自転数＝6.898×10-17m×3.14×(7.96×107)3回転=1.092×108m、です。
宇宙の軌道を走っているダークマターが1秒間に走る距離は、軌道の速度=軌道の秒速です。
軌道の秒速が1.092×108m ＝1.092×105Kmの軌道である場合、ダークマターが自転して1秒間に作る磁気の光子のエネルギーと、ダークマターが宇宙の軌道を回転して作る電気の光子のエネルギーは同じである。
軌道の速度がEKmである場合、ダークマターが1秒間に作る電気の光子は、1秒間にできる磁気の光子の、EKm÷(1.092×105Km)、です。
軌道の速度は中心のブラックホールが作ります。その式は、速度2＝4.827×1027JKm÷軌道半径、速度＝(4.827×1027JKm÷軌道半径)1/2です。この式により速度を求めます。
・ダークマターが1秒間に作る電気の光子のエネルギーは、ダークマターが1秒間に作る磁気の光子のエネルギー×EKm÷(1.092×105Km)、です。
10am時代、A×1024+a光年の場合、
軌道でダークマターが1秒間に作る磁気の光子のエネルギーは、(11-A)×4.468×10-32−aJ、です。
・ダークマターが1秒間に作る電気の光子のエネルギーは、
ダークマターが1秒間に作る磁気の光子のエネルギー×EKm ÷(1.092×105Km)= (11-A)×4.468×10-32−aJ×EKm 
÷(1.092×105Km)= 
(11-A)×4.468×10-32−aJ×(4.827×1027JKm÷軌道半径)1/2÷(1.092×105Km)= 
(11-A)×4.468×10-32−aJ×(48.27×1026JKm÷軌道半径)1/2÷(1.092×105Km)= 
(11-A)×4.468×10-32−aJ×6.948×1013JKm÷軌道半径1/2÷(1.092×105Km)= 
(11-A)×2.843×10-23−a÷軌道半径1/2。
・軌道エネルギーを作るために必要なダークマターの個数は、軌道エネルギー÷ダークマターが1秒間に作る電気の光子のエネルギー
但し、これは、10-14m時代、ダークマターの自転軌道が6.898×10-17mで、1秒間に走る距離が1.092×105Kmの場合の式です。
【請求項３】
10-14m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-14m時代、1010光年の場合。
軌道エネルギー=5.103×104J。速度2＝5.103×104Km。速度＝2.259×102Km。ダークマターが1秒間に作る磁気の光子のエネルギー=4.468×10-17J。
ダークマターが1秒間に作る1個の電気の光子のエネルギー＝ダークマターが1秒間に作る磁気の光子のエネルギー×EKm ÷(1.092×105Km)= 4.468×10-17J×2.259×102Km÷(1.092×105Km)＝9.243×10-20J。
軌道エネルギーを作るために必要なダークマターの個数＝軌道エネルギー÷ダークマターが1秒間に作る1個の電気の光子のエネルギー＝5.103×104J÷(9.243×10-20J)＝5.521×1023個
・10-14m時代、1.42×1010光年の場合。
軌道エネルギー=3.593×104J。速度2＝3.593×104Km。速度＝1.896×102Km。ダークマターが1秒間に作る磁気の光子のエネルギー=9.58×4.468×10-18J。
ダークマターが1秒間に作る1個の電気の光子のエネルギー＝ダークマターが1秒間に作る磁気の光子のエネルギー×EKm ÷(1.092×105Km)= 9.58×4.468×10-18J×1.896×102Km÷(1.092×105Km)=7.432×10-20J
軌道エネルギーを作るために必要なダークマターの個数＝軌道エネルギー÷ダークマターが1秒間に作る1個の電気の光子のエネルギー＝3.593×104J÷(7.432×10-20J)＝4.834×1023個
・10-14m時代、2×1010光年の場合。
軌道エネルギー=2.551×104J。速度2＝2.551×104Km。速度＝1.597×102Km。ダークマターが1秒間に作る磁気の光子のエネルギー=9×4.468×10-18J。
ダークマターが1秒間に作る1個の電気の光子のエネルギー＝ダークマターが1秒間に作る磁気の光子のエネルギー×EKm ÷(1.092×105Km)= 9×4.468×10-18J×1.597×102Km÷(1.092×105Km)=5.881×10-20J
軌道エネルギーを作るために必要なダークマターの個数＝軌道エネルギー÷ダークマターが1秒間に作る1個の電気の光子のエネルギー＝2.551×104J÷(5.881×10-20J)＝4.338×1023個
この事を表に示す。
・10-14m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数。ダークマターが1秒間に作る磁気の光子のエネルギー＝電気の光子のエネルギーの場合の軌道エネルギーを作るためのダークマターの個数も示す。
表9
2015119569.tif 000018
この表より理解できる事。
1．10―14m時代は、ダークマターが宇宙の軌道を走って1秒間に作る電気の光子のエネルギーは、 ダークマターが自転して1秒間に作る磁気の光子のエネルギーの約1000分の1から約1000分の2です。
【請求項４】
10am時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10am時代、ダークマターが自転して1秒間に走る距離は、ダークマターの自転軌道×3.14×1秒間の自転数＝6.898×10a-3m×3.14×(7.96×107)3回転=1.092×1022+am、です。
軌道を走っているダークマターが1秒間に走る距離は、軌道の速度=軌道の秒速。
それで、軌道の秒速が1.092×1022+am＝1.092×1019+aKmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×1019+aKm )、です。
1秒間にできる電気の光子のエネルギーは、1秒間にできる磁気の光子のエネルギー×EKm÷(1.092×1019+aKm )、です。
・ダークマターが1秒間に作る電気の光子のエネルギーは、
ダークマターが1秒間に作る磁気の光子のエネルギー×EKm ÷(1.092×1019+aKm ) =(11-A )×4.468×10-32−aJ×EKm 
÷ (1.092×1019+aKm 
)=(11-A)×4.468×10-32−aJ×(4.827×1027JKm÷軌道半径)1/2÷ (1.092×1019+aKm )=(11-A)×4.468×10-32−aJ×(48.27×1026JKm÷軌道半径)1/2÷(1.092×1019+aKm 
) = (11-A)×4.468×10-32−aJ×6.948×1013JKm÷軌道半径1/2÷(1.092×1019+aKm 
) =(11-A)×2.843×10-37−2a÷軌道半径1/2。
・軌道エネルギーを作るために必要なダークマターの個数は、軌道エネルギー÷ダークマターが1秒間に作る電気の光子のエネルギー
【請求項５】
10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10-15m時代、ダークマターが自転して1秒間に走る距離は、ダークマターの自転軌道×3.14×1秒間の自転数＝6.898×10-18m×3.14×(7.96×107)3回転=1.092×107m、です。
軌道を走っているダークマターが1秒間に走る距離は、軌道の速度=軌道の秒速。
それで、軌道の秒速が1.092×107m ＝1.092×104Kmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×104Km)、です。
・1秒間にできる電気の光子のエネルギーは、1秒間にできる磁気の光子のエネルギー×EKm÷(1.092×104Km)、です。
・ダークマターが1秒間に作る電気の光子のエネルギーは、
ダークマターが1秒間に作る磁気の光子のエネルギー×EKm ÷(1.092×104Km)= (11-A)×4.468×10-32−aJ×EKm 
÷(1.092×104Km)= 
(11-A)×4.468×10-32−aJ×(4.827×1027JKm÷軌道半径)1/2÷(1.092×104Km)= 
(11-A)×4.468×10-32−aJ×(48.27×1026JKm÷軌道半径)1/2÷(1.092×104Km)= 
(11-A)×4.468×10-32−aJ×6.948×1013JKm÷軌道半径1/2÷(1.092×104Km)= 
(11-A)×2.843×10-22−a÷軌道半径1/2。
・軌道エネルギーを作るために必要なダークマターの個数は、軌道エネルギー÷ダークマターが1秒間に作る電気の光子のエネルギー
但し、これは、10-15m時代、ダークマターの自転軌道が6.898×10-18mで、1秒間に走る距離が1.092×104Kmの場合の式です。
【請求項６】
10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-15m時代、軌道半径が109光年の場合。
軌道エネルギー=5.103×105J。速度2=5.103×105Km。速度=7.144×102Km。ダークマターが自転して1秒間に作る磁気の光子のエネルギー=4.468×10―16J。
ダークマターが1秒間に作る電気の光子のエネルギーは、ダークマターが1秒間に作る磁気の光子のエネルギー×EKm ÷(1.092×104Km)= 4.468×10―16J×7.144×102Km÷(1.092×104Km)=2.923×10-17J
軌道エネルギーを作るために必要なダークマターの個数＝軌道エネルギー÷ダークマターが1秒間に作る1個の電気の光子のエネルギー＝5.103×105J÷(2.923×10-17J)＝1.746×1022個
・10-15m時代、軌道半径が2×109光年の場合。
軌道エネルギー=2.551×105J。速度2=2.551×105Km。速度=5.051×102Km。ダークマターが自転して1秒間に作る磁気の光子のエネルギー=9×4.468×10―17J。
ダークマターが1秒間に作る電気の光子のエネルギーは、ダークマターが1秒間に作る磁気の光子のエネルギー×EKm ÷(1.092×104Km)= 9×4.468×10―17J×5.051×102Km÷(1.092×104Km)＝1.860×10-17J
軌道エネルギーを作るために必要なダークマターの個数＝軌道エネルギー÷ダークマターが1秒間に作る1個の電気の光子のエネルギー＝2.551×105J÷(1.860×10-17J)＝1.372×1022個
・10-15m時代、軌道半径が3×109光年の場合。
軌道エネルギー=1.701×105J。速度2=1.701×105Km。速度=4.124×102Km。ダークマターが自転して1秒間に作る磁気の光子のエネルギー=8×4.468×10―17J。
ダークマターが1秒間に作る電気の光子のエネルギーは、ダークマターが1秒間に作る磁気の光子のエネルギー×EKm ÷(1.092×104Km)= 8×4.468×10―17J×4.124×102Km÷(1.092×104Km)＝１．３50×10-17J
軌道エネルギーを作るために必要なダークマターの個数＝軌道エネルギー÷ダークマターが1秒間に作る1個の電気の光子のエネルギー＝1.701×105J÷(1.350×10-17J)＝1.350×1022個
・10-15m時代、軌道半径が4×109光年の場合。
軌道エネルギー=1.276×105J。速度2=1.276×105Km。速度=3.572×102Km。ダークマターが自転して1秒間に作る磁気の光子のエネルギー=7×4.468×10―17J。
ダークマターが1秒間に作る電気の光子のエネルギーは、ダークマターが1秒間に作る磁気の光子のエネルギー×EKm ÷(1.092×104Km)= 7×4.468×10―17J×3.572×102Km÷(1.092×104Km)＝1.023×10-17J
軌道エネルギーを作るために必要なダークマターの個数＝軌道エネルギー÷ダークマターが1秒間に作る1個の電気の光子のエネルギー＝1.276×105J÷(1.023×10-17J)＝1.247×1022個
・10-15m時代、軌道半径が5×109光年の場合。
軌道エネルギー=1.021×105J。速度2=1.021×105Km。速度=3.195×102Km。ダークマターが自転して1秒間に作る磁気の光子のエネルギー=6×4.468×10―17J。
ダークマターが1秒間に作る電気の光子のエネルギーは、ダークマターが1秒間に作る磁気の光子のエネルギー×EKm ÷(1.092×104Km)= 6×4.468×10―17J×3.195×102Km÷(1.092×104Km)＝7.844 ×10-18J
軌道エネルギーを作るために必要なダークマターの個数＝軌道エネルギー÷ダークマターが1秒間に作る1個の電気の光子のエネルギー＝1.021×105J÷(7.844×10-18J)＝1.302 ×1022個
・10-15m時代、軌道半径が6×109光年の場合。
軌道エネルギー=8.504×104J。速度2=8.504×104Km。速度=2.916×102Km。ダークマターが自転して1秒間に作る磁気の光子のエネルギー=5×4.468×10―17J。
ダークマターが1秒間に作る電気の光子のエネルギーは、ダークマターが1秒間に作る磁気の光子のエネルギー×EKm ÷(1.092×104Km)= 5×4.468×10―17J×2.916×102Km÷(1.092×104Km)＝5.966×10-18J
軌道エネルギーを作るために必要なダークマターの個数＝軌道エネルギー÷ダークマターが1秒間に作る1個の電気の光子のエネルギー＝8.504×104J÷(5.966×10-18J)＝1.425 ×1022個
・10-15m時代、軌道半径が7×109光年の場合。
軌道エネルギー=7.289×104J。速度2=7.289×104Km。速度=2.700×102Km。ダークマターが自転して1秒間に作る磁気の光子のエネルギー=4×4.468×10―17J。
ダークマターが1秒間に作る電気の光子のエネルギーは、ダークマターが1秒間に作る磁気の光子のエネルギー×EKm ÷(1.092×104Km)= 4×4.468×10―17J×2.700×102Km÷(1.092×104Km)＝4.419×10-18 
J
軌道エネルギーを作るために必要なダークマターの個数＝軌道エネルギー÷ダークマターが1秒間に作る1個の電気の光子のエネルギー＝7.289×104J÷(4.419×10-18J)＝1.649×1022個
・10-15m時代、軌道半径が8×109光年の場合。
軌道エネルギー=6.378×104J。速度2=6.378×104Km。速度=2.525×102Km。ダークマターが自転して1秒間に作る磁気の光子のエネルギー=3×4.468×10―17J。
ダークマターが1秒間に作る電気の光子のエネルギーは、ダークマターが1秒間に作る磁気の光子のエネルギー×EKm ÷(1.092×104Km)= 3×4.468×10―17J×2.525×102Km÷(1.092×104Km)＝3.099×10-18J
軌道エネルギーを作るために必要なダークマターの個数＝軌道エネルギー÷ダークマターが1秒間に作る1個の電気の光子のエネルギー＝6.378×104J÷(3.099×10-18J)＝2.058×1022個
・10-15m時代、軌道半径が9×109光年の場合。
軌道エネルギー=5.669×104J。速度2=5.669×104Km。速度=2.381×102Km。ダークマターが自転して1秒間に作る磁気の光子のエネルギー=2×4.468×10―17J。
ダークマターが1秒間に作る電気の光子のエネルギーは、ダークマターが1秒間に作る磁気の光子のエネルギー×EKm ÷(1.092×104Km)= 2×4.468×10―17J×2.381×102Km÷(1.092×104Km)＝1.948×10-18J
軌道エネルギーを作るために必要なダークマターの個数＝軌道エネルギー÷ダークマターが1秒間に作る1個の電気の光子のエネルギー＝5.669×104J÷(1.948×10-18J)＝2.910×1022個
・10-14m時代、軌道半径が1010光年の場合。
軌道エネルギー=5.103×104J。速度2=5.103×104Km。速度=2.259×102Km。ダークマターが自転して1秒間に作る磁気の光子のエネルギー=4.468×10―17J。
ダークマターが1秒間に作る電気の光子のエネルギーは、ダークマターが1秒間に作る磁気の光子のエネルギー×EKm ÷(1.092×104Km)= 4.468×10―17J×2.259×102Km÷(1.092×104Km)＝9.243×10-19J
軌道エネルギーを作るために必要なダークマターの個数＝軌道エネルギー÷ダークマターが1秒間に作る1個の電気の光子のエネルギー＝5.103×104J÷(9.243×10-19J)＝5.521×1022個
この事を表に示す。
・10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。ダークマターが1秒間に作る磁気の光子のエネルギー＝電気の光子のエネルギーの場合の軌道エネルギーを作るためのダークマターの個数も示す。
表10
2015119569.tif 000019
2015119569.tif 000020
この表より理解できる事。
1．10―15m時代は、ダークマターが宇宙の軌道を走って1秒間に作る電気の光子のエネルギーは、 ダークマターが自転して1秒間に作る磁気の光子のエネルギーの約100分の2から約100分の3です。
【請求項７】
10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10-16m時代、ダークマターが自転して1秒間に走る距離は、ダークマターの自転軌道×3.14×1秒間の自転数＝6.898×10-19m×3.14×(7.96×107)3回転=1.092×106m、です。
軌道を走っているダークマターが1秒間に走る距離は、軌道の速度=軌道の秒速。
それで、軌道の秒速が1.092×106m ＝1.092×103Kmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×103Km)倍、です。
・1秒間にできる電気の光子のエネルギーは、1秒間にできる磁気の光子のエネルギー×EKm÷(1.092×10３Km)、です。
・ダークマターが1秒間に作る電気の光子のエネルギーは、ダークマターが1秒間に作る磁気の光子のエネルギー×EKm ÷(1.092×103Km)= (11-A)×4.468×10-32−aJ×EKm 
÷(1.092×103Km)= 
(11-A)×4.468×10-32−aJ×(4.827×1027JKm÷軌道半径)1/2÷(1.092×103Km)= 
(11-A)×4.468×10-32−aJ×(48.27×1026JKm÷軌道半径)1/2÷(1.092×103Km)= 
(11-A)×4.468×10-32−aJ×6.948×1013JKm÷軌道半径1/2÷(1.092×103Km)= 
(11-A)×2.843×10-21−a÷軌道半径1/2。
・軌道エネルギーを作るために必要なダークマターの個数は、軌道エネルギー÷ダークマターが1秒間に作る電気の光子のエネルギー
但し、これは、10-16m時代、ダークマターの自転軌道が6.898×10-19mで、1秒間に走る距離が1.092×103Kmの場合の式です。
【請求項８】
10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-16m時代、軌道半径が108光年の場合。
軌道エネルギー=5.103×106J。速度2=5.103×106Km。速度=2.259×103Km。ダークマターが自転して1秒間に作る磁気の光子のエネルギー=4.468×10―15J。
ダークマターが1秒間に作る電気の光子のエネルギーは、ダークマターが1秒間に作る磁気の光子のエネルギー×EKm ÷(1.092×103Km)= 4.468×10―15J×2.259×103Km÷(1.092×103Km)=9.243×10-15J
軌道エネルギーを作るために必要なダークマターの個数＝軌道エネルギー÷ダークマターが1秒間に作る1個の電気の光子のエネルギー＝5.103×106J÷(9.243×10-15J)＝5.521×1020個
・10-16m時代、軌道半径が2×108光年の場合。
軌道エネルギー=2.551×106J。速度2=2.551×106Km。速度=1.597×103Km。ダークマターが自転して1秒間に作る磁気の光子のエネルギー=9×4.468×10―16J。
ダークマターが1秒間に作る電気の光子のエネルギーは、ダークマターが1秒間に作る磁気の光子のエネルギー×EKm ÷(1.092×103Km)= 9×4.468×10―16J×1.597×103Km÷(1.092×103Km)=5.881×10-15J
軌道エネルギーを作るために必要なダークマターの個数＝軌道エネルギー÷ダークマターが1秒間に作る1個の電気の光子のエネルギー＝2.551×106J÷(5.881×10-15J)＝4.338×1020個
・10-16m時代、軌道半径が3 ×108光年の場合。
軌道エネルギー=1.701×106J。速度2=1.701×106Km。速度=1.304×103Km。ダークマターが自転して1秒間に作る磁気の光子のエネルギー=8×4.468×10―16J。
ダークマターが1秒間に作る電気の光子のエネルギーは、ダークマターが1秒間に作る磁気の光子のエネルギー×EKm ÷(1.092×103Km)= 8×4.468×10―16J×1.304×103Km÷(1.092×103Km)=4.268×10-15J
軌道エネルギーを作るために必要なダークマターの個数＝軌道エネルギー÷ダークマターが1秒間に作る1個の電気の光子のエネルギー＝1.701×106J÷(4.268×10-15J)＝3.985×1020個
・10-16m時代、軌道半径が4×108光年の場合。
軌道エネルギー=1.276×106J。速度2=1.276×106Km。速度=1.130×103Km。ダークマターが自転して1秒間に作る磁気の光子のエネルギー=7×4.468×10―16J。
ダークマターが1秒間に作る電気の光子のエネルギーは、ダークマターが1秒間に作る磁気の光子のエネルギー×EKm ÷(1.092×103Km)= 7×4.468×10―16J×1.130×103Km÷(1.092×103Km)=3.236×10-15J
軌道エネルギーを作るために必要なダークマターの個数＝軌道エネルギー÷ダークマターが1秒間に作る1個の電気の光子のエネルギー＝1.276×106J÷(3.236×10-15J)＝3.943×1020個
・10-16m時代、軌道半径が5×108光年の場合。
軌道エネルギー=1.021×106J。速度2=1.021×106Km。速度=1.010×103Km。ダークマターが自転して1秒間に作る磁気の光子のエネルギー=6×4.468×10―16J。
ダークマターが1秒間に作る電気の光子のエネルギーは、ダークマターが1秒間に作る磁気の光子のエネルギー×EKm ÷(1.092×103Km)= 6×4.468×10―16J×1.010×103Km÷(1.092×103Km)=2.479×10-15J
軌道エネルギーを作るために必要なダークマターの個数＝軌道エネルギー÷ダークマターが1秒間に作る1個の電気の光子のエネルギー＝1.021×106J÷(2.479×10-15J)＝4.119×1020個
・10-16m時代、軌道半径が6×108光年の場合。
軌道エネルギー=8.504×105J。速度2=8.504×105Km。速度=9.222×102Km。ダークマターが自転して1秒間に作る磁気の光子のエネルギー=5×4.468×10―16J。
ダークマターが1秒間に作る電気の光子のエネルギーは、ダークマターが1秒間に作る磁気の光子のエネルギー×EKm ÷(1.092×103Km)= 5×4.468×10―16J×9.222×102Km÷(1.092×103Km)=1.887×10-15J
軌道エネルギーを作るために必要なダークマターの個数＝軌道エネルギー÷ダークマターが1秒間に作る1個の電気の光子のエネルギー＝8.504×105J÷(1.887×10-15J)＝4.507×1020個
・10-16m時代、軌道半径が7×108光年の場合。
軌道エネルギー=7.289×105J。速度2=7.289×105Km。速度=8.538×102Km。ダークマターが自転して1秒間に作る磁気の光子のエネルギー=4×4.468×10―16J。
ダークマターが1秒間に作る電気の光子のエネルギーは、ダークマターが1秒間に作る磁気の光子のエネルギー×EKm ÷(1.092×103Km)= 4×4.468×10―16J×8.538×102Km÷(1.092×103Km)=1.397×10-15J
軌道エネルギーを作るために必要なダークマターの個数＝軌道エネルギー÷ダークマターが1秒間に作る1個の電気の光子のエネルギー＝7.289×105J÷(1.397×10-15J)＝5.218×1020個
・10-16m時代、軌道半径が8×108光年の場合。
軌道エネルギー=6.378×105J。速度2=6.378×105Km。速度=7.986×102Km。ダークマターが自転して1秒間に作る磁気の光子のエネルギー=3×4.468×10―16J。
ダークマターが1秒間に作る電気の光子のエネルギーは、ダークマターが1秒間に作る磁気の光子のエネルギー×EKm ÷(1.092×103Km)= 3×4.468×10―16J×7.986×102Km÷(1.092×103Km)=9.803×10-16J
軌道エネルギーを作るために必要なダークマターの個数＝軌道エネルギー÷ダークマターが1秒間に作る1個の電気の光子のエネルギー＝6.378×105J÷(9.803×10-16J)＝6.506×1020個
・10-16m時代、軌道半径が9×108光年の場合。
軌道エネルギー=5.669×105J。速度2=5.669×105Km。速度=7.529×102Km。ダークマターが自転して1秒間に作る磁気の光子のエネルギー=2×4.468×10―16J。
ダークマターが1秒間に作る電気の光子のエネルギーは、ダークマターが1秒間に作る磁気の光子のエネルギー×EKm ÷(1.092×103Km)= 2×4.468×10―16J×7.529×102Km÷(1.092×103Km)=6.161×10-16J
軌道エネルギーを作るために必要なダークマターの個数＝軌道エネルギー÷ダークマターが1秒間に作る1個の電気の光子のエネルギー＝5.669×105J÷(6.161×10-16J)＝9.201×1020個
この事を表に示す。
・10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。ダークマターが1秒間に作る磁気の光子のエネルギー＝電気の光子のエネルギーの場合の軌道エネルギーを作るためのダークマターの個数も示す。
表11
2015119569.tif 000021
2015119569.tif 000022
この表より理解できる事。
1．10―16m時代は、ダークマターが宇宙の軌道を走って1秒間に作る電気の光子のエネルギーが、 ダークマターが自転して1秒間に作る磁気の光子のエネルギーより大きく成る。これは、宇宙の軌道の回転速度が速くなったためです。
・ダークマターが1秒間に作る電気の光子のエネルギーを求める一般式
表12
2015119569.tif 000023
ダークマターが1秒間に作る電気の光子のエネルギー＝ダークマターが1秒間に作る磁気の光子のエネルギー×軌道の速度÷1秒間に走る距離
＝(11-A)×4.468×10-32−aJ×(48.27×1026JKm÷軌道半径)1/2÷1.092×1019+aKm＝(11-A)×2.843×10-37−2a÷軌道半径1/2
表13
2015119569.tif 000024
○私は2012年12月27日に提出した、特願2012-286352、「宇宙とダークマター」「請求項1」で次のように記した。
(電子のラブは自転しながら公転することによって、磁気の光子と電気の光子を作る。
電子のラブは自転し、磁気の光子を作り、公転し、電気の光子を作る。
電子のラブに成れなかったダークマターの実態は自転だけしている電子のラブである。
陽子のラブに成れなかったダークマターの実態は自転だけしている陽子のラブである。
それで、公転の代わりに回転すると、そこに生まれるのは、電気の光子です。
ダークマターはブラックホールが作る回転軌道を走る。
ダークマターは自転しながら走るので、電気の光子を作る
ダークマターが作る電気の光子が軌道のエネルギーになり、回転速度2を作る。
これが、ダークマターが回転速度を作る原理です。)
そして、この事に於いて、ダークマターが走る距離について問題が発生します。
ダークマターが走る距離は、宇宙の中心のブラックホールが作る軌道エネルギー＝速度2の秒速なのか。
それとも、ダークマターが持っているエネルギーで走る秒速なのかが問題です。
【請求項９】
ダークマターが走る距離は、宇宙の中心のブラックホールが作る軌道エネルギー＝速度2の秒速である場合、この事は何を意味するか。
1．ダークマターには、自転するエネルギーはあるけれども、自ら走るエネルギーは無い。
1．ダークマターは自転だけしていて、走るエネルギーは宇宙の中心のブラックホールが作る軌道エネルギーを受けている。
それはまるで、惑星が太陽が作る軌道エネルギーを受けて回転しているようです。
1．はたして、自転軌道が10-17mのダークマターは、宇宙の中心のブラックホールが作る軌道エネルギーを受けられるでしょうか。
1．ダークマターは走った距離だけ電気の光子を作る。
1．ダークマターが走る距離は、宇宙の軌道の速度です。  
【請求項１０】
ダークマターが走る距離は、ダークマターが持っているエネルギーでまっすぐ走る秒速である場合、この事は何を意味するか。
1．ダークマターは自転しながら、自分のエネルギーでまっすぐ走ることができる。
1．ダークマターは自転しながら走る性質を消滅させていない。
1．電子のラブと陽子のラブは自転し、磁気の光子を作っている。そして公転し電気の光子を作っている。この電子のラブと陽子のラブのエネルギーの低下したものがダークマターである。それ故、ダークマターである、低エネルギーの電子のラブと陽子のラブは低エネルギーの磁気の光子と電気の光子を作っている。
電子のラブと陽子のラブの機能は変わらない。しかし、そのエネルギーは存在する場のエネルギーにより変わる。
1．電子のラブと陽子のラブは、1秒間に作る磁気の光子のエネルギー＝1秒間に作る電気の光子のエネルギー。それ故、ダークマターが1秒間に作る磁気の光子のエネルギー＝ダークマターが1秒間に作る電気の光子のエネルギー
【請求項１１】
ダークマターは自転し、自分のエネルギーで走る。どのように走っているか。
ダークマターの自転軌道は、電子のラブの公転軌道を1.058×10-10mとすると、電子のラブ自転軌道=3.14×公転軌道÷1公転の自転数＝3.14×1.058×10-10m÷(7.96×107回)=4.174×10-18m。ダークマターの自転軌道＝電子のラブ自転軌道×2731/2=4.174×10-18m×2731/2=4.174×10-18m×16.523=6.897×10-17m。
ダークマターは電子のラブが6.897×10-17mで自転しながらまっすぐ走る.
1秒間に(7.96×107)3回自転して進む、1秒間に進む距離は、6.897×10-17m×3.14×(7.96×107)3回=1.092×108m、です。
ダークマターは自転しながら直進する電子のラブであり、6.897×10-17mで自転しながら秒速1.092×108mで進む。それはまるで、太さが6.897×10-17mの糸が回転しながらまっすぐ光速で走っているようです。自転しながら走るので、電気の光子ができる。
【請求項１２】
ダークマターは宇宙の軌道を走り、1秒間にどれだけの電気の光子のエネルギーを作っているか。
ダークマターは、実態は自転しながらまっすぐ進む電子のラブです。
10-14m時代のダークマターは、6.897×10-17mで自転しながら、秒速3.479×107mで走る。  
1秒間に作る電気の光子のエネルギーは、3.083×10-33Jm÷自転軌道=3.083×10-33Jm÷(6.898×10-17m)=4.469×10-17J。
それで、ダークマターが1秒間に作る電気の光子1個のエネルギーは、4.469×10-17Jです。
【請求項１３】
ダークマターの実態とは何か。
ダークマターの実態とは、電子のラブと陽子のラブのエネルギーが10-10mの場のエネルギーの2731/2のエネルギーに低下したものです。
そのエネルギーを持つダークマターである電子のラブと陽子のラブの行動は自転しながら走る事です。
ダークマターである電子のラブと陽子のラブは自転し磁気の光子を作り、自転しながら走ることによって電気の光子を作ります。
ダークマターである電子のラブと陽子のラブは宇宙の軌道の中で、自転し磁気の光子を作り、自転しながらまっすぐ走ることによって電気の光子を作ります。
ダークマターが作る磁気の光子は宇宙の軌道の引力に成り、電気の光子は宇宙の軌道の軌道エネルギー＝速度2に成ります。
宇宙の軌道の引力2=軌道の磁気の光子のエネルギー=速度2=軌道の電気の光子のエネルギー。
ダークマターが1秒間に作る磁気の光子のエネルギーと電気の光子のエネルギーは等しいです。それは電子のラブと陽子のラブのエネルギーは存在する場のエネルギーによって一定であるからです。
【請求項１４】
各々の時代に於いて、各軌道半径のダークマターのエネルギーと1秒間に作る磁気の光子のエネルギー＝1秒間に作る磁気の光子のエネルギー=速度2はいくらか。
10am時代に於いて、A×10２４＋a光年の軌道半径に於いて、1秒間に作る磁気の光子のエネルギー＝1秒間に作る電気の光子のエネルギー=速度2は、(11-A) 4.468×10−３2-aJです。
ダークマターが作る軌道エネルギーは、1秒間に作る電気の光子のエネルギー(＝電気の光子1個のエネルギー)×ダークマターの数、です。
・10-14m時代の速度をWKmとした場合の軌道半径における、ダークマターが自転して1秒間に作る磁気の光子のエネルギーとダークマターが走って1秒間に作る電気の光子のエネルギーと速度と速度2と軌道エネルギーとダークマターの数とダークマターの数を示す。
各時代のダークマターが作る速度と速度2は同じであるとする。
表14
2015119569.tif 000025
2015119569.tif 000026
2015119569.tif 000027
但し、各時代のダークマターが作る速度と速度2は同じであるとする。
【請求項１５】
宇宙の中心のブラックホールが作る軌道エネルギー＝速度2は、軌道エネルギー＝速度2＝4.827×1027JKm÷軌道半径、です。この計算から、軌道半径が10倍になると速度2は1/10になる。ダークマターによって、各軌道半径の速度2を同じにするには、ダークマターでできる速度2を軌道半径が大きくなるにしたがって大きくしなければならない。
この場合のダークマターの数はどのようになるか。
表15
2015119569.tif 000028
2015119569.tif 000029
2015119569.tif 000030
2015119569.tif 000031
・軌道半径1010光年で、宇宙の速度が3×102Kmであるとすると、10×WKm＝3×102Km。
W=30．W=30を代入すると、各々の時代のダークマターが作る速度と速度2と軌道エネルギーとダークマターの数が示される。
【請求項１６】
129.2×108Kmより遠い大クエーサー群の距離をまっすぐ中央のブラックホールの方向に向けて観察した場合、どのように大クエーサーは存在しているか。
U1.27はC型にカーブして見えるわけです。宇宙の中心のブラックホールからU1.27が存在する軌道半径12.866×108光年の距離は観察できるのですから、この部分を光子はまっすぐ走れます。
【請求項１７】
宇宙の中心のブラックホールの軌道半径いくらまで光は吸い込まれるか。
光速の軌道半径まで光は吸い込まれる。
・光速に成る軌道半径はいくらか。
2.627×1013太陽質量のブラックホールが作る軌道エネルギーの式は、4.827×1027JKm÷距離、です。
軌道半径＝4.827×1027JKm÷速度2＝4.827×1027JKm÷(3×105)2J＝4.827×1027JKm÷(9×1010)J＝5.363×1016Km
これは何光年か。
5.363×1016Km÷(9.46×1012Km)＝5.669×103(光年)
よって、速度が3×105Kmになる軌道半径は5.669×103光年です。
宇宙の中心のブラックホールの軌道半径5.669×103光年まで光は吸い込まれる。
それで、宇宙の中心のブラックホールの軌道半径5.669×103光年までは光は吸収されるので、大クエーサー群の光はこの軌道半径の外側を直進して観察されたと考えられる。
【請求項１８】
U1.27の距離、129.2×108Kmより遠い大クエーサー群はどこに観察されるか。
宇宙の中央のブラックホールの方向を観察する。
宇宙の中央のブラックホールから軌道半径5.669×103光年まで光は吸い込まれるので観察できない。
宇宙の中心のブラックホールから軌道半径12.866×108光年の距離は観察できるのでそちらを観察する。
大クエーサー群は軌道半径が短い軌道に観察されるはずです。
例えば、コンバーク・クラフツオフ・ルカシュ大クエーサー群８は、176.8-142=34.8光年の軌道半径に観察されるでしょう。
速度が光速になる軌道半径は5.669×103光年です。
宇宙の中心のブラックホールから軌道半径12.866×108光年の距離はU1.27が観察できるのでこの軌道半径は観測できる。それで、この方向に、176.8×108光年に、コンバーグ・クラフツオフ・ルカシュ大クエーサー群8は存在する。167.0×108光年にコンバーグ・クラフツオフ・ルカシュ大クエーサー群４とコンバーグ・クラフツオフ・ルカシュ大クエーサー群７とコンバーグ・クラフツオフ・ルカシュ大クエーサー群9は存在する。156.3×108光年にコンバーグ・クラフツオフ・ルカシュ大クエーサー群5は存在する。146.9×108光年にU1.54は存在する。144.4×108光年にコンバーグ・クラフツオフ・ルカシュ大クエーサー群6は存在する。
・U1.27の距離、129.2×108光年より遠い大クエーサー群
表16
2015119569.tif 000032
【発明の詳細な説明】
【技術分野】
【０００１】
本発明は、ダークマター1個のエネルギーとダークマターの速度と大クエーサー群の距離に関するものである。
【背景技術】
【０００２】
2013年12月10に提出した特願2013-255508「ダークマーターの存在」の「請求項8」で、次のように記した。
電子のラブが自転して作る磁気の光子のエネルギーと、公転して作る電気の光子のエネルギーは等しい。それ故、ダークマターである電子のラブが自転して作る磁気の光子のエネルギーと、軌道を回転して作る電気の光子のエネルギーは等しいと考える。
また、「請求項23」で次のように記した。
軌道半径の1/10に存在する軌道のダークマターの数は、2.740×1025個÷2＝1.37×1025個です。それで、このダークマターが軌道エネルギーを作っているとするならば、ダークマターが1秒間に作る電気の光子のエネルギーはいくらか。この場合、ダークマターが1秒間に作る電気の光子のエネルギーをダークマター1個の回転エネルギーとする。
「請求項24」で次のように記した。
それで、この1.37×1025個のダークマターが軌道エネルギーを作っていると考え、このエネルギーを、ダークマターが1秒間に作る電気の光子のエネルギーとし、ダークマターの回転エネルギーとした。そのダークマターの回転エネルギーは3.725×10-35-aJです。ダークマターの回転エネルギーとダークマターのエネルギーの比較はどのようであるか。
ダークマターの回転エネルギー＝3.725×10-35-aJ。
ダークマターのエネルギー＝4.468×10-31−aJ。
ダークマターのエネルギー÷ダークマターの回転エネルギー＝4.468×10-31−aJ÷(3.725×10-35-aJ)＝1.199×104
ダークマターの回転エネルギー÷ダークマターのエネルギー＝3.725×10-35-aJ÷(4.468×10-31−aJ)＝8.337×10―5
ダークマターのエネルギーはダークマターの回転エネルギーの1.199×104倍です。
ダークマターの回転エネルギーはダークマターのエネルギーの8.337×10―5倍です。
「請求項25」で次のように記した。
軌道速度をWKｍとし、軌道の拡大とともにダークマターの数が増加し、ダークマター1個のエネルギーが減少する場合、ダークマターの数とダークマター1個のエネルギーはどのようであるか。
「請求項26」で次のように記した。
軌道速度をWKｍとし、軌道の拡大とともにダークマター1個のエネルギーが減少し、ダークマターの数が増加する場合、ダークマター1個のエネルギーとダークマターの数はどのようであるか。
私は、2013年10月15日に提出した、特願2013-214732「大クエーサー群のU1.27とスローン・グレートウオールとCｆA2グレートウオール」の「請求項15」に於いて、U1.27の最大の長さは40.4×108光年であることから、宇宙の中心のブラックホールから地球までの距離を求めた。この長さは、142.066×108光年です。
2013年10月28日に提出した、特願2013-223032「大クエーサー群」に於いて、宇宙の軌道半径を142.066×１08光年であるとし、大クエーサー群を2つに分けて考えた。
それは、U1.27の距離、129.2×108Kmより近い大クエーサー群と、U1.27の距離129.2×108Kmより遠い大クエーサー群についてです。
129.2×108Kmより遠い大クエーサー群について、cosθを用いて長さを計算した。その結果大クエーサーが存在する軌道半径は次のようです。
コンバーク・クラフツオフ・ルカシュ大クエーサー群8は、cosθ=36.5288度ですから、tanθ=36.5288度です。tanθ=36.5288度＝ｘ光年÷142.066×108光年=0.7265＋(0.7536-0.7265)×0.5288＝0.7265＋0.0143=0.7408．
x光年＝0.7408×142.066×108光年=105.247×108光年。コンバーク・クラフツオフ・ルカシュ大クエーサー群8は105.247×108光年の軌道半径に存在することに成ります。
これは大クエーサー群が存在する軌道半径としては、中央のブラックホールから離れすぎています。
【先行技術文献】
【特許文献】
【０００３】
【特許文献１】特願2012-286352
【特許文献２】特願2013-084552
【特許文献３】特願2013-214732
【特許文献４】特願2013-223032
【特許文献５】特願2013-255508
【発明の概要】
【発明が解決しようとする課題】
【０００４】
ダークマターが宇宙の軌道を走るとき、1秒間に作る電気の光子のエネルギーはいくらか。
1つは、宇宙の軌道速度で走った分だけ、電気の光子のエネルギーができる、という考えです。
２つは、ダークマターは一定のエネルギーがあるので、1秒間にできる電気の光子のエネルギーは一定である、という考えです。
この2つについて検討する。
129.2×108Kmより遠い大クエーサー群について,cosθを用いて長さを計算したことは誤りです。私は、2013年4月15日に提出した特願2013-084552「宇宙の形」に於いて、宇宙の観察される範囲を示した。この考えは過ちです。宇宙には区切りはありません。どこまでも続いています。たとえそこに大きなブラックホールがあったとしても、宇宙は続いています。宇宙の中心のブラックホールがあったとしても宇宙は続いています。それで、129.2×108Kmより遠い大クエーサー群の距離をまっすぐ中央のブラックホールの方向に向けて観察したとして考えます。この事は2013年10月28日に提出した、特願2013-223032「大クエーサー群」の再考です。
【課題を解決するための手段】
【０００５】
ダークマターの本質からどちらが正しいか検討する。
【発明の効果】
【０００６】
ダークマターの本質から、ダークマターが宇宙の軌道を走り、軌道エネルギーである電気の光子を作っているのは、自らのエネルギーで走っていることが理解できた。
それで、ダークマターが1秒間に作っている電気の光子のエネルギーは、自転しながら1秒間に作っている磁気の光子のエネルギーと同じです。
U1.27の距離、129.2×108光年より遠い大クエーサー群達は宇宙の中心のブラックホールの方に観察される。
U1.27が軌道半径12.166×108光年の軌道半径に観察されるので、この外側の軌道は観察可能であるから、この方向に129.2×108光年より遠い大クエーサー群達は観察できる。
【図面の簡単な説明】
【０００７】
【図１】図１はU1.27の距離、129.2×108Kmより遠い大クエーサー群はどこに観察されるかを図示する。１は中心のブラックホールで、3は速度が3×105Kmになる軌道半径で5.669×103光年です。この範囲はブラックホールで、光も吸収するので、何も見えません。宇宙の中心のブラックホールから軌道半径12.866×108光年の距離はU1.27が観察できるのでこの軌道半径は観測できる。それで、この方向に、176.8×108光年に、コンバーグ・クラフツオフ・ルカシュ大クエーサー群8は存在する。167.0×108光年にコンバーグ・クラフツオフ・ルカシュ大クエーサー群４とコンバーグ・クラフツオフ・ルカシュ大クエーサー群７とコンバーグ・クラフツオフ・ルカシュ大クエーサー群9は存在する。156.3×108光年にコンバーグ・クラフツオフ・ルカシュ大クエーサー群5は存在する。146.9×108光年にU1.54は存在する。144.4×108光年にコンバーグ・クラフツオフ・ルカシュ大クエーサー群6は存在する。
【発明を実施するための形態】
【０００８】
１．    はたして、ダークマターが自転して1秒間に作る磁気の光子のエネルギーと、ダークマターが宇宙の軌道を回転して作る電気の光子のエネルギーは同じであるのか。
まず、走った分がそのエネルギーになると考える。
ダークマターが自転して1秒間に作る磁気の光子のエネルギーをダークマター1個の磁気の光子のエネルギーとし、ダークマターが宇宙の軌道を走って1秒間に作る電気の光子のエネルギーをダークマター1個の電気の光子のエネルギーとする。
２．    10-14m時代、ダークマターが1秒間走ってできる電気の光子のエネルギーはいくらか。一般式を求める。
・10-14m時代、ダークマターが自転して1秒間に走る距離は、ダークマターの自転軌道×3.14×1秒間の自転数＝6.898×10-17m×3.14×(7.96×107)3回転=1.092×108m、です。
宇宙の軌道を走っているダークマターが1秒間に走る距離は、軌道の速度=軌道の秒速です。
軌道の秒速が1.092×108m ＝1.092×105Kmの軌道である場合、ダークマターが自転して1秒間に作る磁気の光子のエネルギーと、ダークマターが宇宙の軌道を回転して作る電気の光子のエネルギーは同じである。
軌道の速度がEKmである場合、ダークマターが1秒間に作る電気の光子は、1秒間にできる磁気の光子の、EKm÷(1.092×105Km)、です。
軌道の速度は中心のブラックホールが作ります。その式は、速度2＝4.827×1027JKm÷軌道半径、速度＝(4.827×1027JKm÷軌道半径)1/2です。この式により速度を求めます。
・ダークマターが1秒間に作る電気の光子のエネルギーは、ダークマターが1秒間に作る磁気の光子のエネルギー×EKm÷(1.092×105Km)、です。
10am時代、A×1024+a光年の場合、
軌道でダークマターが1秒間に作る磁気の光子のエネルギーは、(11-A)×4.468×10-32−aJ、です。
・ダークマターが1秒間に作る電気の光子のエネルギーは、
ダークマターが1秒間に作る磁気の光子のエネルギー×EKm ÷(1.092×105Km)= (11-A)×4.468×10-32−aJ×EKm 
÷(1.092×105Km)= 
(11-A)×4.468×10-32−aJ×(4.827×1027JKm÷軌道半径)1/2÷(1.092×105Km)= 
(11-A)×4.468×10-32−aJ×(48.27×1026JKm÷軌道半径)1/2÷(1.092×105Km)= 
(11-A)×4.468×10-32−aJ×6.948×1013JKm÷軌道半径1/2÷(1.092×105Km)= 
(11-A)×2.843×10-23−a÷軌道半径1/2。
・軌道エネルギーを作るために必要なダークマターの個数は、軌道エネルギー÷ダークマターが1秒間に作る電気の光子のエネルギー
但し、これは、10-14m時代、ダークマターの自転軌道が6.898×10-17mで、1秒間に走る距離が1.092×105Kmの場合の式です。
３．    10-14m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-14m時代、1010光年の場合。
軌道エネルギー=5.103×104J。速度2＝5.103×104Km。速度＝2.259×102Km。ダークマターが1秒間に作る磁気の光子のエネルギー=4.468×10-17J。
ダークマターが1秒間に作る1個の電気の光子のエネルギー＝ダークマターが1秒間に作る磁気の光子のエネルギー×EKm ÷(1.092×105Km)= 4.468×10-17J×2.259×102Km÷(1.092×105Km)＝9.243×10-20J。
軌道エネルギーを作るために必要なダークマターの個数＝軌道エネルギー÷ダークマターが1秒間に作る1個の電気の光子のエネルギー＝5.103×104J÷(9.243×10-20J)＝5.521×1023個
・10-14m時代、1.42×1010光年の場合。
軌道エネルギー=3.593×104J。速度2＝3.593×104Km。速度＝1.896×102Km。ダークマターが1秒間に作る磁気の光子のエネルギー=9.58×4.468×10-18J。
ダークマターが1秒間に作る1個の電気の光子のエネルギー＝ダークマターが1秒間に作る磁気の光子のエネルギー×EKm ÷(1.092×105Km)= 9.58×4.468×10-18J×1.896×102Km÷(1.092×105Km)=7.432×10-20J
軌道エネルギーを作るために必要なダークマターの個数＝軌道エネルギー÷ダークマターが1秒間に作る1個の電気の光子のエネルギー＝3.593×104J÷(7.432×10-20J)＝4.834×1023個
・10-14m時代、2×1010光年の場合。
軌道エネルギー=2.551×104J。速度2＝2.551×104Km。速度＝1.597×102Km。ダークマターが1秒間に作る磁気の光子のエネルギー=9×4.468×10-18J。
ダークマターが1秒間に作る1個の電気の光子のエネルギー＝ダークマターが1秒間に作る磁気の光子のエネルギー×EKm ÷(1.092×105Km)= 9×4.468×10-18J×1.597×102Km÷(1.092×105Km)=5.881×10-20J
軌道エネルギーを作るために必要なダークマターの個数＝軌道エネルギー÷ダークマターが1秒間に作る1個の電気の光子のエネルギー＝2.551×104J÷(5.881×10-20J)＝4.338×1023個
この事を表に示す。
・10-14m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数。ダークマターが1秒間に作る磁気の光子のエネルギー＝電気の光子のエネルギーの場合の軌道エネルギーを作るためのダークマターの個数も示す。
表１
2015119569.tif 000003
この表より理解できる事。
1．10―14m時代は、ダークマターが宇宙の軌道を走って1秒間に作る電気の光子のエネルギーは、 ダークマターが自転して1秒間に作る磁気の光子のエネルギーの約1000分の1から約1000分の2です。
４．      10am時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10am時代、ダークマターが自転して1秒間に走る距離は、ダークマターの自転軌道×3.14×1秒間の自転数＝6.898×10a-3m×3.14×(7.96×107)3回転=1.092×1022+am、です。
軌道を走っているダークマターが1秒間に走る距離は、軌道の速度=軌道の秒速。
それで、軌道の秒速が1.092×1022+am＝1.092×1019+aKmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×1019+aKm )、です。
1秒間にできる電気の光子のエネルギーは、1秒間にできる磁気の光子のエネルギー×EKm÷(1.092×1019+aKm )、です。
・ダークマターが1秒間に作る電気の光子のエネルギーは、
ダークマターが1秒間に作る磁気の光子のエネルギー×EKm ÷(1.092×1019+aKm ) =(11-A )×4.468×10-32−aJ×EKm 
÷ (1.092×1019+aKm 
)=(11-A)×4.468×10-32−aJ×(4.827×1027JKm÷軌道半径)1/2÷ (1.092×1019+aKm )=(11-A)×4.468×10-32−aJ×(48.27×1026JKm÷軌道半径)1/2÷(1.092×1019+aKm 
) = (11-A)×4.468×10-32−aJ×6.948×1013JKm÷軌道半径1/2÷(1.092×1019+aKm 
) =(11-A)×2.843×10-37−2a÷軌道半径1/2。
・軌道エネルギーを作るために必要なダークマターの個数は、軌道エネルギー÷ダークマターが1秒間に作る電気の光子のエネルギー
５．    10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10-15m時代、ダークマターが自転して1秒間に走る距離は、ダークマターの自転軌道×3.14×1秒間の自転数＝6.898×10-18m×3.14×(7.96×107)3回転=1.092×107m、です。
軌道を走っているダークマターが1秒間に走る距離は、軌道の速度=軌道の秒速。
それで、軌道の秒速が1.092×107m ＝1.092×104Kmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×104Km)、です。
・1秒間にできる電気の光子のエネルギーは、1秒間にできる磁気の光子のエネルギー×EKm÷(1.092×104Km)、です。
・ダークマターが1秒間に作る電気の光子のエネルギーは、
ダークマターが1秒間に作る磁気の光子のエネルギー×EKm ÷(1.092×104Km)= (11-A)×4.468×10-32−aJ×EKm 
÷(1.092×104Km)= 
(11-A)×4.468×10-32−aJ×(4.827×1027JKm÷軌道半径)1/2÷(1.092×104Km)= 
(11-A)×4.468×10-32−aJ×(48.27×1026JKm÷軌道半径)1/2÷(1.092×104Km)= 
(11-A)×4.468×10-32−aJ×6.948×1013JKm÷軌道半径1/2÷(1.092×104Km)= 
(11-A)×2.843×10-22−a÷軌道半径1/2。
・軌道エネルギーを作るために必要なダークマターの個数は、軌道エネルギー÷ダークマターが1秒間に作る電気の光子のエネルギー
但し、これは、10-15m時代、ダークマターの自転軌道が6.898×10-18mで、1秒間に走る距離が1.092×104Kmの場合の式です。
６．    10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-15m時代、軌道半径が109光年の場合。
軌道エネルギー=5.103×105J。速度2=5.103×105Km。速度=7.144×102Km。ダークマターが自転して1秒間に作る磁気の光子のエネルギー=4.468×10―16J。
ダークマターが1秒間に作る電気の光子のエネルギーは、ダークマターが1秒間に作る磁気の光子のエネルギー×EKm ÷(1.092×104Km)= 4.468×10―16J×7.144×102Km÷(1.092×104Km)=2.923×10-17J
軌道エネルギーを作るために必要なダークマターの個数＝軌道エネルギー÷ダークマターが1秒間に作る1個の電気の光子のエネルギー＝5.103×105J÷(2.923×10-17J)＝1.746×1022個
・10-15m時代、軌道半径が2×109光年の場合。
軌道エネルギー=2.551×105J。速度2=2.551×105Km。速度=5.051×102Km。ダークマターが自転して1秒間に作る磁気の光子のエネルギー=9×4.468×10―17J。
ダークマターが1秒間に作る電気の光子のエネルギーは、ダークマターが1秒間に作る磁気の光子のエネルギー×EKm ÷(1.092×104Km)= 9×4.468×10―17J×5.051×102Km÷(1.092×104Km)＝1.860×10-17J
軌道エネルギーを作るために必要なダークマターの個数＝軌道エネルギー÷ダークマターが1秒間に作る1個の電気の光子のエネルギー＝2.551×105J÷(1.860×10-17J)＝1.372×1022個
・10-15m時代、軌道半径が3×109光年の場合。
軌道エネルギー=1.701×105J。速度2=1.701×105Km。速度=4.124×102Km。ダークマターが自転して1秒間に作る磁気の光子のエネルギー=8×4.468×10―17J。
ダークマターが1秒間に作る電気の光子のエネルギーは、ダークマターが1秒間に作る磁気の光子のエネルギー×EKm ÷(1.092×104Km)= 8×4.468×10―17J×4.124×102Km÷(1.092×104Km)＝１．３50×10-17J
軌道エネルギーを作るために必要なダークマターの個数＝軌道エネルギー÷ダークマターが1秒間に作る1個の電気の光子のエネルギー＝1.701×105J÷(1.350×10-17J)＝1.350×1022個
・10-15m時代、軌道半径が4×109光年の場合。
軌道エネルギー=1.276×105J。速度2=1.276×105Km。速度=3.572×102Km。ダークマターが自転して1秒間に作る磁気の光子のエネルギー=7×4.468×10―17J。
ダークマターが1秒間に作る電気の光子のエネルギーは、ダークマターが1秒間に作る磁気の光子のエネルギー×EKm ÷(1.092×104Km)= 7×4.468×10―17J×3.572×102Km÷(1.092×104Km)＝1.023×10-17J
軌道エネルギーを作るために必要なダークマターの個数＝軌道エネルギー÷ダークマターが1秒間に作る1個の電気の光子のエネルギー＝1.276×105J÷(1.023×10-17J)＝1.247×1022個
・10-15m時代、軌道半径が5×109光年の場合。
軌道エネルギー=1.021×105J。速度2=1.021×105Km。速度=3.195×102Km。ダークマターが自転して1秒間に作る磁気の光子のエネルギー=6×4.468×10―17J。
ダークマターが1秒間に作る電気の光子のエネルギーは、ダークマターが1秒間に作る磁気の光子のエネルギー×EKm ÷(1.092×104Km)= 6×4.468×10―17J×3.195×102Km÷(1.092×104Km)＝7.844 ×10-18J
軌道エネルギーを作るために必要なダークマターの個数＝軌道エネルギー÷ダークマターが1秒間に作る1個の電気の光子のエネルギー＝1.021×105J÷(7.844×10-18J)＝1.302 ×1022個
・10-15m時代、軌道半径が6×109光年の場合。
軌道エネルギー=8.504×104J。速度2=8.504×104Km。速度=2.916×102Km。ダークマターが自転して1秒間に作る磁気の光子のエネルギー=5×4.468×10―17J。
ダークマターが1秒間に作る電気の光子のエネルギーは、ダークマターが1秒間に作る磁気の光子のエネルギー×EKm ÷(1.092×104Km)= 5×4.468×10―17J×2.916×102Km÷(1.092×104Km)＝5.966×10-18J
軌道エネルギーを作るために必要なダークマターの個数＝軌道エネルギー÷ダークマターが1秒間に作る1個の電気の光子のエネルギー＝8.504×104J÷(5.966×10-18J)＝1.425 ×1022個
・10-15m時代、軌道半径が7×109光年の場合。
軌道エネルギー=7.289×104J。速度2=7.289×104Km。速度=2.700×102Km。ダークマターが自転して1秒間に作る磁気の光子のエネルギー=4×4.468×10―17J。
ダークマターが1秒間に作る電気の光子のエネルギーは、ダークマターが1秒間に作る磁気の光子のエネルギー×EKm ÷(1.092×104Km)= 4×4.468×10―17J×2.700×102Km÷(1.092×104Km)＝4.419×10-18 
J
軌道エネルギーを作るために必要なダークマターの個数＝軌道エネルギー÷ダークマターが1秒間に作る1個の電気の光子のエネルギー＝7.289×104J÷(4.419×10-18J)＝1.649×1022個
・10-15m時代、軌道半径が8×109光年の場合。
軌道エネルギー=6.378×104J。速度2=6.378×104Km。速度=2.525×102Km。ダークマターが自転して1秒間に作る磁気の光子のエネルギー=3×4.468×10―17J。
ダークマターが1秒間に作る電気の光子のエネルギーは、ダークマターが1秒間に作る磁気の光子のエネルギー×EKm ÷(1.092×104Km)= 3×4.468×10―17J×2.525×102Km÷(1.092×104Km)＝3.099×10-18J
軌道エネルギーを作るために必要なダークマターの個数＝軌道エネルギー÷ダークマターが1秒間に作る1個の電気の光子のエネルギー＝6.378×104J÷(3.099×10-18J)＝2.058×1022個
・10-15m時代、軌道半径が9×109光年の場合。
軌道エネルギー=5.669×104J。速度2=5.669×104Km。速度=2.381×102Km。ダークマターが自転して1秒間に作る磁気の光子のエネルギー=2×4.468×10―17J。
ダークマターが1秒間に作る電気の光子のエネルギーは、ダークマターが1秒間に作る磁気の光子のエネルギー×EKm ÷(1.092×104Km)= 2×4.468×10―17J×2.381×102Km÷(1.092×104Km)＝1.948×10-18J
軌道エネルギーを作るために必要なダークマターの個数＝軌道エネルギー÷ダークマターが1秒間に作る1個の電気の光子のエネルギー＝5.669×104J÷(1.948×10-18J)＝2.910×1022個
・10-14m時代、軌道半径が1010光年の場合。
軌道エネルギー=5.103×104J。速度2=5.103×104Km。速度=2.259×102Km。ダークマターが自転して1秒間に作る磁気の光子のエネルギー=4.468×10―17J。
ダークマターが1秒間に作る電気の光子のエネルギーは、ダークマターが1秒間に作る磁気の光子のエネルギー×EKm ÷(1.092×104Km)= 4.468×10―17J×2.259×102Km÷(1.092×104Km)＝9.243×10-19J
軌道エネルギーを作るために必要なダークマターの個数＝軌道エネルギー÷ダークマターが1秒間に作る1個の電気の光子のエネルギー＝5.103×104J÷(9.243×10-19J)＝5.521×1022個
この事を表に示す。
・10-15m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。ダークマターが1秒間に作る磁気の光子のエネルギー＝電気の光子のエネルギーの場合の軌道エネルギーを作るためのダークマターの個数も示す。
表２
2015119569.tif 000004
2015119569.tif 000005
この表より理解できる事。
1．10―15m時代は、ダークマターが宇宙の軌道を走って1秒間に作る電気の光子のエネルギーは、 ダークマターが自転して1秒間に作る磁気の光子のエネルギーの約100分の2から約100分の3です。
７．      10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。一般式を求める。
10-16m時代、ダークマターが自転して1秒間に走る距離は、ダークマターの自転軌道×3.14×1秒間の自転数＝6.898×10-19m×3.14×(7.96×107)3回転=1.092×106m、です。
軌道を走っているダークマターが1秒間に走る距離は、軌道の速度=軌道の秒速。
それで、軌道の秒速が1.092×106m ＝1.092×103Kmの軌道である場合、ダークマターが自転して1秒間に作る磁気の光子のエネルギーと、ダークマターが宇宙の軌道を回転して作る電気の光子のエネルギーは同じである。
それで、走る速度で考える。
軌道の速度がEKmである場合、この電気の光子は、1秒間にできる磁気の光子のEKm÷(1.092×103Km)倍、です。
・1秒間にできる電気の光子のエネルギーは、1秒間にできる磁気の光子のエネルギー×EKm÷(1.092×10３Km)、です。
・ダークマターが1秒間に作る電気の光子のエネルギーは、ダークマターが1秒間に作る磁気の光子のエネルギー×EKm ÷(1.092×103Km)= (11-A)×4.468×10-32−aJ×EKm 
÷(1.092×103Km)= 
(11-A)×4.468×10-32−aJ×(4.827×1027JKm÷軌道半径)1/2÷(1.092×103Km)= 
(11-A)×4.468×10-32−aJ×(48.27×1026JKm÷軌道半径)1/2÷(1.092×103Km)= 
(11-A)×4.468×10-32−aJ×6.948×1013JKm÷軌道半径1/2÷(1.092×103Km)= 
(11-A)×2.843×10-21−a÷軌道半径1/2。
・軌道エネルギーを作るために必要なダークマターの個数は、軌道エネルギー÷ダークマターが1秒間に作る電気の光子のエネルギー
但し、これは、10-16m時代、ダークマターの自転軌道が6.898×10-19mで、1秒間に走る距離が1.092×103Kmの場合の式です。
８．    10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。データ-は2013年12月10日に提出した、特願2013-255508の「請求項17」と同じです。
・10-16m時代、軌道半径が108光年の場合。
軌道エネルギー=5.103×106J。速度2=5.103×106Km。速度=2.259×103Km。ダークマターが自転して1秒間に作る磁気の光子のエネルギー=4.468×10―15J。
ダークマターが1秒間に作る電気の光子のエネルギーは、ダークマターが1秒間に作る磁気の光子のエネルギー×EKm ÷(1.092×103Km)= 4.468×10―15J×2.259×103Km÷(1.092×103Km)=9.243×10-15J
軌道エネルギーを作るために必要なダークマターの個数＝軌道エネルギー÷ダークマターが1秒間に作る1個の電気の光子のエネルギー＝5.103×106J÷(9.243×10-15J)＝5.521×1020個
・10-16m時代、軌道半径が2×108光年の場合。
軌道エネルギー=2.551×106J。速度2=2.551×106Km。速度=1.597×103Km。ダークマターが自転して1秒間に作る磁気の光子のエネルギー=9×4.468×10―16J。
ダークマターが1秒間に作る電気の光子のエネルギーは、ダークマターが1秒間に作る磁気の光子のエネルギー×EKm ÷(1.092×103Km)= 9×4.468×10―16J×1.597×103Km÷(1.092×103Km)=5.881×10-15J
軌道エネルギーを作るために必要なダークマターの個数＝軌道エネルギー÷ダークマターが1秒間に作る1個の電気の光子のエネルギー＝2.551×106J÷(5.881×10-15J)＝4.338×1020個
・10-16m時代、軌道半径が3 ×108光年の場合。
軌道エネルギー=1.701×106J。速度2=1.701×106Km。速度=1.304×103Km。ダークマターが自転して1秒間に作る磁気の光子のエネルギー=8×4.468×10―16J。
ダークマターが1秒間に作る電気の光子のエネルギーは、ダークマターが1秒間に作る磁気の光子のエネルギー×EKm ÷(1.092×103Km)= 8×4.468×10―16J×1.304×103Km÷(1.092×103Km)=4.268×10-15J
軌道エネルギーを作るために必要なダークマターの個数＝軌道エネルギー÷ダークマターが1秒間に作る1個の電気の光子のエネルギー＝1.701×106J÷(4.268×10-15J)＝3.985×1020個
・10-16m時代、軌道半径が4×108光年の場合。
軌道エネルギー=1.276×106J。速度2=1.276×106Km。速度=1.130×103Km。ダークマターが自転して1秒間に作る磁気の光子のエネルギー=7×4.468×10―16J。
ダークマターが1秒間に作る電気の光子のエネルギーは、ダークマターが1秒間に作る磁気の光子のエネルギー×EKm ÷(1.092×103Km)= 7×4.468×10―16J×1.130×103Km÷(1.092×103Km)=3.236×10-15J
軌道エネルギーを作るために必要なダークマターの個数＝軌道エネルギー÷ダークマターが1秒間に作る1個の電気の光子のエネルギー＝1.276×106J÷(3.236×10-15J)＝3.943×1020個
・10-16m時代、軌道半径が5×108光年の場合。
軌道エネルギー=1.021×106J。速度2=1.021×106Km。速度=1.010×103Km。ダークマターが自転して1秒間に作る磁気の光子のエネルギー=6×4.468×10―16J。
ダークマターが1秒間に作る電気の光子のエネルギーは、ダークマターが1秒間に作る磁気の光子のエネルギー×EKm ÷(1.092×103Km)= 6×4.468×10―16J×1.010×103Km÷(1.092×103Km)=2.479×10-15J
軌道エネルギーを作るために必要なダークマターの個数＝軌道エネルギー÷ダークマターが1秒間に作る1個の電気の光子のエネルギー＝1.021×106J÷(2.479×10-15J)＝4.119×1020個
・10-16m時代、軌道半径が6×108光年の場合。
軌道エネルギー=8.504×105J。速度2=8.504×105Km。速度=9.222×102Km。ダークマターが自転して1秒間に作る磁気の光子のエネルギー=5×4.468×10―16J。
ダークマターが1秒間に作る電気の光子のエネルギーは、ダークマターが1秒間に作る磁気の光子のエネルギー×EKm ÷(1.092×103Km)= 5×4.468×10―16J×9.222×102Km÷(1.092×103Km)=1.887×10-15J
軌道エネルギーを作るために必要なダークマターの個数＝軌道エネルギー÷ダークマターが1秒間に作る1個の電気の光子のエネルギー＝8.504×105J÷(1.887×10-15J)＝4.507×1020個
・10-16m時代、軌道半径が7×108光年の場合。
軌道エネルギー=7.289×105J。速度2=7.289×105Km。速度=8.538×102Km。ダークマターが自転して1秒間に作る磁気の光子のエネルギー=4×4.468×10―16J。
ダークマターが1秒間に作る電気の光子のエネルギーは、ダークマターが1秒間に作る磁気の光子のエネルギー×EKm ÷(1.092×103Km)= 4×4.468×10―16J×8.538×102Km÷(1.092×103Km)=1.397×10-15J
軌道エネルギーを作るために必要なダークマターの個数＝軌道エネルギー÷ダークマターが1秒間に作る1個の電気の光子のエネルギー＝7.289×105J÷(1.397×10-15J)＝5.218×1020個
・10-16m時代、軌道半径が8×108光年の場合。
軌道エネルギー=6.378×105J。速度2=6.378×105Km。速度=7.986×102Km。ダークマターが自転して1秒間に作る磁気の光子のエネルギー=3×4.468×10―16J。
ダークマターが1秒間に作る電気の光子のエネルギーは、ダークマターが1秒間に作る磁気の光子のエネルギー×EKm ÷(1.092×103Km)= 3×4.468×10―16J×7.986×102Km÷(1.092×103Km)=9.803×10-16J
軌道エネルギーを作るために必要なダークマターの個数＝軌道エネルギー÷ダークマターが1秒間に作る1個の電気の光子のエネルギー＝6.378×105J÷(9.803×10-16J)＝6.506×1020個
・10-16m時代、軌道半径が9×108光年の場合。
軌道エネルギー=5.669×105J。速度2=5.669×105Km。速度=7.529×102Km。ダークマターが自転して1秒間に作る磁気の光子のエネルギー=2×4.468×10―16J。
ダークマターが1秒間に作る電気の光子のエネルギーは、ダークマターが1秒間に作る磁気の光子のエネルギー×EKm ÷(1.092×103Km)= 2×4.468×10―16J×7.529×102Km÷(1.092×103Km)=6.161×10-16J
軌道エネルギーを作るために必要なダークマターの個数＝軌道エネルギー÷ダークマターが1秒間に作る1個の電気の光子のエネルギー＝5.669×105J÷(6.161×10-16J)＝9.201×1020個
この事を表に示す。
・10-16m時代、軌道の軌道エネルギーと、速度2と速度と、ダークマターが1秒間に作る1個の磁気の光子のエネルギーと、ダークマターが1秒間に作る1個の電気の光子のエネルギーと、軌道エネルギーを作るために必要なダークマターの個数はいくらか。ダークマターが1秒間に作る磁気の光子のエネルギー＝電気の光子のエネルギーの場合の軌道エネルギーを作るためのダークマターの個数も示す。
表3
2015119569.tif 000006
2015119569.tif 000007
この表より理解できる事。
1．10―16m時代は、ダークマターが宇宙の軌道を走って1秒間に作る電気の光子のエネルギーが、 ダークマターが自転して1秒間に作る磁気の光子のエネルギーより大きく成る。これは、宇宙の軌道の回転速度が速くなったためです。
・ダークマターが1秒間に作る電気の光子のエネルギーを求める一般式
表４
2015119569.tif 000008
ダークマターが1秒間に作る電気の光子のエネルギー＝ダークマターが1秒間に作る磁気の光子のエネルギー×軌道の速度÷1秒間に走る距離
＝(11-A)×4.468×10-32−aJ×(48.27×1026JKm÷軌道半径)1/2÷1.092×1019+aKm＝(11-A)×2.843×10-37−2a÷軌道半径1/2
表5
2015119569.tif 000009
○私は2012年12月27日に提出した、特願2012-286352、「宇宙とダークマター」「請求項1」で次のように記した。
(電子のラブは自転しながら公転することによって、磁気の光子と電気の光子を作る。
電子のラブは自転し、磁気の光子を作り、公転し、電気の光子を作る。
電子のラブに成れなかったダークマターの実態は自転だけしている電子のラブである。
陽子のラブに成れなかったダークマターの実態は自転だけしている陽子のラブである。
それで、公転の代わりに回転すると、そこに生まれるのは、電気の光子です。
ダークマターはブラックホールが作る回転軌道を走る。
ダークマターは自転しながら走るので、電気の光子を作る
ダークマターが作る電気の光子が軌道のエネルギーになり、回転速度2を作る。
これが、ダークマターが回転速度を作る原理です。)
そして、この事に於いて、ダークマターが走る距離について問題が発生します。
ダークマターが走る距離は、宇宙の中心のブラックホールが作る軌道エネルギー＝速度2の秒速なのか。
それとも、ダークマターが持っているエネルギーで走る秒速なのかが問題です。
９．    ダークマターが走る距離は、宇宙の中心のブラックホールが作る軌道エネルギー＝速度2の秒速である場合、この事は何を意味するか。
1．ダークマターには、自転するエネルギーはあるけれども、自ら走るエネルギーは無い。
1．ダークマターは自転だけしていて、走るエネルギーは宇宙の中心のブラックホールが作る軌道エネルギーを受けている。
それはまるで、惑星が太陽が作る軌道エネルギーを受けて回転しているようです。
1．はたして、自転軌道が10-17mのダークマターは、宇宙の中心のブラックホールが作る軌道エネルギーを受けられるでしょうか。
1．ダークマターは走った距離だけ電気の光子を作る。
1．ダークマターが走る距離は、宇宙の軌道の速度です。  
１０．    ダークマターが走る距離は、ダークマターが持っているエネルギーでまっすぐ走る秒速である場合、この事は何を意味するか。
1．ダークマターは自転しながら、自分のエネルギーでまっすぐ走ることができる。
1．ダークマターは自転しながら走る性質を消滅させていない。
1．電子のラブと陽子のラブは自転し、磁気の光子を作っている。そして公転し電気の光子を作っている。この電子のラブと陽子のラブのエネルギーの低下したものがダークマターである。それ故、ダークマターである、低エネルギーの電子のラブと陽子のラブは低エネルギーの磁気の光子と電気の光子を作っている。
電子のラブと陽子のラブの機能は変わらない。しかし、そのエネルギーは存在する場のエネルギーにより変わる。
1．電子のラブと陽子のラブは、1秒間に作る磁気の光子のエネルギー＝1秒間に作る電気の光子のエネルギー。それ故、ダークマターが1秒間に作る磁気の光子のエネルギー＝ダークマターが1秒間に作る電気の光子のエネルギー
１１．    ダークマターは自転し、自分のエネルギーで走る。どのように走っているか。
ダークマターの自転軌道は、電子のラブの公転軌道を1.058×10-10mとすると、電子のラブ自転軌道=3.14×公転軌道÷1公転の自転数＝3.14×1.058×10-10m÷(7.96×107回)=4.174×10-18m。ダークマターの自転軌道＝電子のラブ自転軌道×2731/2=4.174×10-18m×2731/2=4.174×10-18m×16.523=6.897×10-17m。
ダークマターは電子のラブが6.897×10-17mで自転しながらまっすぐ走る.
1秒間に(7.96×107)3回自転して進む、1秒間に進む距離は、6.897×10-17m×3.14×(7.96×107)3回=1.092×108m、です。
ダークマターは自転しながら直進する電子のラブであり、6.897×10-17mで自転しながら秒速1.092×108mで進む。それはまるで、太さが6.897×10-17mの糸が回転しながらまっすぐ光速で走っているようです。自転しながら走るので、電気の光子ができる。
１２．    ダークマターは宇宙の軌道を走り、1秒間にどれだけの電気の光子のエネルギーを作っているか。
ダークマターは、実態は自転しながらまっすぐ進む電子のラブです。
10-14m時代のダークマターは、6.897×10-17mで自転しながら、秒速3.479×107mで走る。  
1秒間に作る電気の光子のエネルギーは、3.083×10-33Jm÷自転軌道=3.083×10-33Jm÷(6.898×10-17m)=4.469×10-17J。
それで、ダークマターが1秒間に作る電気の光子1個のエネルギーは、4.469×10-17Jです。
１３．    ダークマターの実態とは何か。
ダークマターの実態とは、電子のラブと陽子のラブのエネルギーが10-10mの場のエネルギーの2731/2のエネルギーに低下したものです。
そのエネルギーを持つダークマターである電子のラブと陽子のラブの行動は自転しながら走る事です。
ダークマターである電子のラブと陽子のラブは自転し磁気の光子を作り、自転しながら走ることによって電気の光子を作ります。
ダークマターである電子のラブと陽子のラブは宇宙の軌道の中で、自転し磁気の光子を作り、自転しながらまっすぐ走ることによって電気の光子を作ります。
ダークマターが作る磁気の光子は宇宙の軌道の引力に成り、電気の光子は宇宙の軌道の軌道エネルギー＝速度2に成ります。
宇宙の軌道の引力2=軌道の磁気の光子のエネルギー=速度2=軌道の電気の光子のエネルギー。
ダークマターが1秒間に作る磁気の光子のエネルギーと電気の光子のエネルギーは等しいです。それは電子のラブと陽子のラブのエネルギーは存在する場のエネルギーによって一定であるからです。
１４．    各々の時代に於いて、各軌道半径のダークマターのエネルギーと1秒間に作る磁気の光子のエネルギー＝1秒間に作る磁気の光子のエネルギー=速度2はいくらか。
10am時代に於いて、A×10２４＋a光年の軌道半径に於いて、1秒間に作る磁気の光子のエネルギー＝1秒間に作る電気の光子のエネルギー=速度2は、(11-A) 4.468×10−３2-aJです。
ダークマターが作る軌道エネルギーは、1秒間に作る電気の光子のエネルギー(＝電気の光子1個のエネルギー)×ダークマターの数、です。
・10-14m時代の速度をWKmとした場合の軌道半径における、ダークマターが自転して1秒間に作る磁気の光子のエネルギーとダークマターが走って1秒間に作る電気の光子のエネルギーと速度と速度2と軌道エネルギーとダークマターの数とダークマターの数を示す。
各時代のダークマターが作る速度と速度2は同じであるとする。
表6
2015119569.tif 000010
2015119569.tif 000011
2015119569.tif 000012
但し、各時代のダークマターが作る速度と速度2は同じであるとする。
１５．    宇宙の中心のブラックホールが作る軌道エネルギー＝速度2は、軌道エネルギー＝速度2＝4.827×1027JKm÷軌道半径、です。この計算から、軌道半径が10倍になると速度2は1/10になる。ダークマターによって、各軌道半径の速度2を同じにするには、ダークマターでできる速度2を軌道半径が大きくなるにしたがって大きくしなければならない。
この場合のダークマターの数はどのようになるか。
表7
2015119569.tif 000013
2015119569.tif 000014
2015119569.tif 000015
2015119569.tif 000016
・軌道半径1010光年で、宇宙の速度が3×102Kmであるとすると、10×WKm＝3×102Km。
W=30．W=30を代入すると、各々の時代のダークマターが作る速度と速度2と軌道エネルギーとダークマターの数が示される。
１６．    129.2×108Kmより遠い大クエーサー群の距離をまっすぐ中央のブラックホールの方向に向けて観察した場合、どのように大クエーサーは存在しているか。
U1.27はC型にカーブして見えるわけです。宇宙の中心のブラックホールからU1.27が存在する軌道半径12.866×108光年の距離は観察できるのですから、この部分を光子はまっすぐ走れます。
１７．    宇宙の中心のブラックホールの軌道半径いくらまで光は吸い込まれるか。
光速の軌道半径まで光は吸い込まれる。
・光速に成る軌道半径はいくらか。
2.627×1013太陽質量のブラックホールが作る軌道エネルギーの式は、4.827×1027JKm÷距離、です。
軌道半径＝4.827×1027JKm÷速度2＝4.827×1027JKm÷(3×105)2J＝4.827×1027JKm÷(9×1010)J＝5.363×1016Km
これは何光年か。
5.363×1016Km÷(9.46×1012Km)＝5.669×103(光年)
よって、速度が3×105Kmになる軌道半径は5.669×103光年です。
宇宙の中心のブラックホールの軌道半径5.669×103光年まで光は吸い込まれる。
それで、宇宙の中心のブラックホールの軌道半径5.669×103光年までは光は吸収されるので、大クエーサー群の光はこの軌道半径の外側を直進して観察されたと考えられる。
１８．    U1.27の距離、129.2×108Kmより遠い大クエーサー群はどこに観察されるか。
宇宙の中央のブラックホールの方向を観察する。
宇宙の中央のブラックホールから軌道半径5.669×103光年まで光は吸い込まれるので観察できない。
宇宙の中心のブラックホールから軌道半径12.866×108光年の距離は観察できるのでそちらを観察する。
大クエーサー群は軌道半径が短い軌道に観察されるはずです。
例えば、コンバーク・クラフツオフ・ルカシュ大クエーサー群８は、176.8-142=34.8光年の軌道半径に観察されるでしょう。
速度が光速になる軌道半径は5.669×103光年です。
宇宙の中心のブラックホールから軌道半径12.866×108光年の距離はU1.27が観察できるのでこの軌道半径は観測できる。それで、この方向に、176.8×108光年に、コンバーグ・クラフツオフ・ルカシュ大クエーサー群8は存在する。167.0×108光年にコンバーグ・クラフツオフ・ルカシュ大クエーサー群４とコンバーグ・クラフツオフ・ルカシュ大クエーサー群７とコンバーグ・クラフツオフ・ルカシュ大クエーサー群9は存在する。156.3×108光年にコンバーグ・クラフツオフ・ルカシュ大クエーサー群5は存在する。146.9×108光年にU1.54は存在する。144.4×108光年にコンバーグ・クラフツオフ・ルカシュ大クエーサー群6は存在する。
・U1.27の距離、129.2×108光年より遠い大クエーサー群
表8
2015119569.tif 000017
【産業上の利用可能性】
【０００９】
産業の発展は新しい事を発見する事により、他を制することができる。宇宙の事について、新しい事を考え、その能力を発達させることは、産業の発展に貢献する能力を養うことになる。
【符号の説明】
【００１０】
１    宇宙の中心のブラックホール
２    地球
３    速度が3×105Kmになる、軌道半径5.669×103光年の軌道
４    U1.27の距離で、軌道半径12.866×108光年の軌道
５    地球から宇宙の中心のブラックホールの方向
６    コンバーク・クラフツオフ・ルカシュ大クエーサー群８
７    U1.54
８    コンバーク・クラフツオフ・ルカシュ大クエーサー群５
９    コンバーク・クラフツオフ・ルカシュ大クエーサー群４とコンバーク・クラフツオフ・ルカシュ大クエーサー群７とコンバーク・クラフツオフ・ルカシュ大クエーサー群９
１０        コンバーク・クラフツオフ・ルカシュ大クエーサー群８
【図１】
2015119569.tif 000033